(57)【特許請求の範囲】
【請求項１】
割り込み音の回数を示すデータを記憶する記憶手段と、
送信開始におけるダイヤル発呼前に、交換機に対してその交換機を割り込み動作不可モードに設定するための第１の信号を自動的に送出するとともに、送信終了に際して、前記割り込み音の回数を示すデータが含まれており、交換機に対してその交換機を割り込み動作モードに設定するための第２の信号を自動的に送出することで割り込み動作モードでの割り込み音の回数を再設定するようにした割り込み制御手段と
を設けた通信端末装置。
【請求項２】
割り込み音の回数を示すデータを記憶する記憶手段と、
ポーリング受信におけるダイヤル発呼前に、交換機に対してその交換機を割り込み動作不可モードに設定するための第１の信号を自動的に送出するとともに、ポーリング受信終了に際して、前記割り込み音の回数を示すデータが含まれており、交換機に対してその交換機を割り込み動作モードに設定するための第２の信号を自動的に送出することで割り込み動作モードでの割り込み音の回数を再設定するようにした割り込み制御手段と
を設けた通信端末装置。
【請求項３】
割り込み音の回数を、所望の値に設定できる設定手段を更に備えた請求項１または請求項２に記載の通信端末装置。
【発明の詳細な説明】
【０００１】
【発明の属する技術分野】
この発明は、ファクシミリ装置等の通信端末装置に関するものである。
【０００２】
【従来の技術】
電話機付きファクシミリ装置（以下、単にファクシミリ装置という）や通信機能付きパーソナルコンピュータ（以下、単にパソコンという）が、一般家庭に普及し始めている。そして、一般家庭においては、これらの装置が電話と共用された一回線上に接続されることが多い。
【０００３】
一方、電話による通話中の回線に対して第三者からの割り込みを受け付けることができるように、回線提供者側による、いわゆるキャッチホンサービスと称されるサービスも普及し定着している。
【０００４】
ところが、ファクシミリ通信やパソコン通信等のデータ通信をしている時に、第三者からのキャッチホンサービスによる割り込みが行われる場合がある。この場合、ファクシミリ通信では画像が乱れたり、通信が中止されたりするおそれがあり、パソコン通信では画像が乱れたり、通信データがエラーになったり、ハングアップされてしまう各種トラブルのおそれがあった。
【０００５】
【発明が解決しようとする課題】
ところで、通信中にこのキャッチホンによる割り込みを受け付けないように設定できるとともに、割り込みを行おうとした第三者に対してメッセージで応答し、第三者のメッセージを録音する新しいキャッチホンサービスが開始されている。
【０００６】
しかしながら、この新たなキャッチホンサービスにおいては、ファクシミリ通信等のデータ通信に際して、発信側において、通信前に割り込みを受け付けないようにモード設定しておく必要がある。このため、通信を開始する前には、毎回必ずこれらのモード設定を行わなければならず、また、通信終了後はこのモード設定を解除しなければならず面倒であった。
【０００７】
特に、前述した電話とファクシミリ装置等との共用回線においては、電話機使用に際して、このような設定は不要であるが、ファクシミリ装置等の使用に際しては、このようなモード設定と解除が通信の都度毎回必要になる。従って、ファクシミリ装置等の使用頻度が高い場合には、その設定操作が煩雑である。
【０００８】
この発明は、上記のような問題を解決するためになされたのもで、その目的は送信前にキャッチホンサービスが受けられないように自動的にモード設定できるとともに、送信後は通常のキャッチホンサービスが受けられるように前記のモードを自動的に解除できるように構成した通信端末装置を提供することにある。
【０００９】
【課題を解決するための手段】
上記の目的を達成するために、この発明においては、以下のように構成した。
請求項１に記載の発明においては、割り込み音の回数を示すデータを記憶する記憶手段と、送信開始におけるダイヤル発呼前に、交換機に対してその交換機を割り込み動作不可モードに設定するための第１の信号を自動的に送出するとともに、送信終了に際して、前記割り込み音の回数を示すデータが含まれており、交換機に対してその交換機を割り込み動作モードに設定するための第２の信号を自動的に送出することで割り込み動作モードでの割り込み音の回数を再設定するようにした割り込み制御手段とを設けた。
【００１０】
請求項２に記載の発明においては、割り込み音の回数を示すデータを記憶する記憶手段と、ポーリング受信におけるダイヤル発呼前に、交換機に対してその交換機を割り込み動作不可モードに設定するための第１の信号を自動的に送出するとともに、ポーリング受信終了に際して、前記割り込み音の回数を示すデータが含まれており、交換機に対してその交換機を割り込み動作モードに設定するための第２の信号を自動的に送出することで割り込み動作モードでの割り込み音の回数を再設定するようにした割り込み制御手段とを設けた。
【００１１】
請求項３に記載の発明においては、請求項１または請求項２に記載の発明において、割り込み音の回数を、所望の値に設定できる設定手段を更に備えた。
従って、請求項１に記載の発明によれば、ダイヤル発呼前に、交換機が割り込み動作不可モードに設定され、キャッチホンサービスが一時的にキャンセルされる。そして、送信終了にともない、キャッチホンサービスが復旧される。
【００１２】
請求項２に記載の発明によれば、ポーリング受信時におけるダイヤル発呼前に、交換機が割り込み動作不可モードに設定され、キャッチホンサービスが一時的にキャンセルされる。そして、送信終了にともない、キャッチホンサービスが復旧される。
請求項３に記載の発明によれば、請求項１または請求項２に記載の発明の作用に加えて、割り込み音の回数を任意の値に設定できる。
【００１３】
【発明の実施の形態】
以下、この発明をファクシミリ装置に具体化した一実施形態について、図１〜図３に基づいて説明する。この実施形態におけるファクシミリ装置は、電話機も備えている。なお、この実施形態においてはキャッチホンＩＩサービス（日本電信電話株式会社、以下、単にキャッチホンという。）を例にして説明している。
【００１４】
図１にファクシミリ装置の回路構成を示す。ＣＰＵ（Ｃｅｎｔｒａｌ  Ｐｒｏｃｅｓｓｏｒ  Ｕｎｉｔ）１１には、装置全体の動作を制御するためのプログラム等を記録したＥＰＲＯＭ（Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１２、短縮番号やキャッチホンサービスに対する設定内容等の各種情報を記憶するＳＲＡＭ（Ｓｔａｔｉｃ  Ｒａｍｄｏｍ  Ａｃｃｅｓｓ  Ｍｅｍｏｒｙ  ）１３が接続されている。ＣＰＵ１１及びＥＰＲＯＭ１２は、割り込み制御手段を構成する。
【００１５】
ＮＣＵ（Ｎｅｔｗｏｒｋ  Ｃｏｎｔｒｏｌ  Ｕｎｉｔ）１４は電話回線との接続を制御する。モデム１５は送受信データの変調及び復調を行うとともに、通信速度の決定も行う。
また、モデム１５には、ＣＰＵ１１からのＤＣＳ信号（デジタル命令信号）、ＤＩＳ信号（デジタル識別信号）、ＴＳＩ信号（送信端末識別信号）、ページ終了信号としてのＭＰＳ信号（マルチページ信号）、ＥＯＭ信号（メッセージ終了信号）及びＥＯＰ信号（手順終了信号）等の各種の信号を発生したり、検出したりするための回路が組み込まれている。さらに、モデム１５には、ＤＴＭＦ（Ｄｕａｌ  Ｔｏｎｅ  Ｍｕｌｔｉ  Ｆｒｅｑｕｅｎｃｙ  ）信号を発生するとともに、同信号を検出するためのＤＴＭＦ回路１５ａが組み込まれている。
【００１６】
読取部１６は、送信される原稿上の画像を読み取る。
記憶手段としてのＤＲＡＭ（Ｄｙｎａｍｉｃ  Ｒａｍｄｏｍ  Ａｃｃｅｓｓ  Ｍｅｍｏｒｙ）１７は、受信された画像データや読取部１６で読み取られた画像データを一時的に記憶する。すなわち、このＤＲＡＭは画像データメモリとして機能する。
【００１７】
記録部１８は、前記ＤＲＡＭ１７の受信画像データ等に基づいて記録紙上に印字を行う。
操作部１９は、ＦＡＸ番号等を入力するためのダイヤルキー、ファクシミリ動作を開始させるためのスタートキー、短縮番号を設定登録するための短縮キー及びキャッチホンサービス等の設定を行うための設定キー１９ａ等の各種の操作キーを備えている。この実施形態においては、設定キー１９ａはダイヤルキーよりなる。この設定キー１９ａ及び前記ＣＰＵ１１は設定手段を構成する。ハンドセットを含む受話器２０は通話の際に使用される。
【００１８】
次に、設定キー１９ａに基づいて設定されるキャッチホンサービスの割り込みモード及び割り込み不可モードの設定について、図２に示すフローチャートに基づいて説明する。このフローチャートはＥＰＲＯＭ１２に格納されたプログラムがＣＰＵ１１の制御のもとに実行されることにより進行する。この実施形態において、割り込みモードの設定は、割り込み音の回数を示すデータを交換機に対して送出することにより行われる。割り込み不可モードの設定は、割り込み音の回数０（ゼロ）を示すデータを交換機に対して送出することにより行われる。
【００１９】
まず、キャッチホンサービスの割り込み音の回数設定動作について説明する。ファクシミリ装置の発信動作が開始されると、ステップＳ１において、交換機に対して所定のＤＴＭＦ信号のデータが送信される。このＤＴＭＦ信号データは、ＤＴＭＦ回路１５ａで行っており、交換機はこのＤＴＭＦ信号データの受信によりキャッチホン機能の動作開始モードに移行する。この実施形態においては、「１」「４」「５」を示すＤＴＭＦ信号データが送出され、引き続いて「１」を示すＤＴＭＦ信号データが送出される。
【００２０】
次に、ステップＳ２おいては、再度「１」「４」「５」のＤＴＭＦ信号データが送出され、続いて「３」を示すＤＴＭＦ信号データが送出される。交換機はこの両データの受信により、割り込み音の回数設定モードに移行する。
【００２１】
ステップＳ３においては、設定キー１９ａの操作により、「０〜９」の任意の割り込み音の回数設定が行われ、その回数を示すデータが交換機に送出され、交換機はその回数データを割り込み音の回数を示すデータとして記憶する。
【００２２】
そして、ステップＳ４においては、ステップＳ３で入力された割り込み音の回数データがＳＲＡＭ１３に割り込み音の回数を示す値として設定記憶される。
以上のようにして、割り込みモードが設定される。この割り込みモードは、この実施形態のファクシミリ装置を電話機として使用する場合に機能する。
【００２３】
次に、この実施形態のファクシミリ装置のファクシミリ送信時の動作について図３に示すフローチャートに基づいて説明する。このフローチャートも前記と同様にＥＰＲＯＭ１２に格納されたプログラムがＣＰＵ１１の制御のもとに実行されることにより進行する。
【００２４】
送信が開始されると、ダイヤル発呼前に、ステップＳ１において、ＥＰＲＯＭ１２内の「１」「４」「５」を示すＤＴＭＦ信号データの送出に続いて、同じくＥＰＲＯＭ１２内の「１」を示すＤＴＭＦ信号データがＤＴＭＦ回路１５ａから送出される。これらのデータに基づいて、交換機はキャッチホン機能が開始される。
【００２５】
次に、ステップＳ２においては、再度「１」「４」「５」のＤＴＭＦ信号データの送出に続いて「３」のＤＴＭＦ信号データが送出されて、交換機が割り込み音の回数設定モードにされる。
【００２６】
そして、ステップＳ３においては、割り込み音の回数設定を０回にするため、「０」のＤＴＭＦ信号データが交換機に対して送出され、前記図２のステップＳ４で設定された割り込み音の設定回数がキャンセルされる。このため、割り込み不可モードが設定されて、キャッチホンサービスが停止される。このモード下において、第三者からの割り込みがあった場合は、交換機の録音装置から第三者に対してあらかじめ録音された割り込み不可を示すメッセージが送出されるとともに、留守番電話として機能するようになっている。
【００２７】
ステップＳ４において、ダイヤル発呼されて、通常のＦＡＸ送信手順に移行し、ＦＡＸ送信が行われる。
そして、ステップＳ５において、ＦＡＸ送信終了後、再度「１」「４」「５」を示すＤＴＭＦ信号データ及び［３」を示すＤＴＭＦ信号データが送出される。交換機はこれらの信号の受信により、再度割り込み音の回数設定状態にされ、割り込みモードが復旧する。
【００２８】
ステップＳ６において、ＳＲＡＭ１３に記憶されている割り込み音の回数データに再設定される。
このように、ファクシミリ送信に際しては、自動的にキャッチホン機能を一時キャンセルでき、ファクシミリ送信終了時にキャッチホン機能が自動的に復旧する。
【００２９】
また、この実施形態のファクシミリ装置はポーリング機能（相手機にセットされている原稿をこちらからの操作で送信を開始させて、受信することができる機能）を有し、ポーリング受信時にも前述した図３のルーチンが実行され、キャッチホン機能が一時的にキャンセルされる。
【００３０】
以上のように構成した一実施形態のファクシミリ装置においては、以下のような効果を奏する。
（１）送信時及びポーリング受信時にキャッチホン機能をキャンセルできるので、第三者による割り込みがあっても、ファクシミリ装置はそれを受け付けない。従って、通信エラーが発生することがなく、記録画像が乱れたりするのを防止できる。
【００３１】
（２）キャッチホン機能のキャンセル及びその復旧が、ＥＰＲＯＭ１２内のプログラムに基づいて自動的に行われるため、煩雑さがまったくない。
なお、この発明は次のように変更しても具体化することが可能である。
【００３２】
（ａ）前記通信端末装置にＤＴＭＦ信号データでコードスケルチ機能を付加した構成すること。このように構成すれば、誤って送信相手先にＦＡＸしてもＦＡＸの内容を誤送信先に知られることがない。
【００３３】
（ｂ）この発明をパソコン等の他の通信端末装置に具体化すること。このように構成しても、前記実施形態と同様な効果を享受できる。
さらに、前記実施形態より把握される技術的思想について以下に記載する。
【００３４】
（１）ＤＴＭＦ信号データでコードスケルチ機能を付加した請求項１に記載の通信端末装置。このように構成すれば、誤って送信相手先にＦＡＸしてもＦＡＸの内容を誤送信先に知られることがない。
【００３５】
（２）前記通信端末装置がファクシミリ機能を有する請求項１〜３のいずれかに記載の通信端末装置。このように構成しても、前記実施形態と同様な機能を享受できる。
【００３６】
（３）前記通信端末装置が電話機の機能を有する請求項１〜３のいずれかに記載の通信端末装置。このように構成すれば、前記の各効果に加えて、電話機としても使用できる。
【００３７】
【発明の効果】
この発明は、以上のように構成されているため、次のような効果を奏する。
請求項１に記載の発明によれば、割り込みをキャンセルして、割り込みに基づくトラブルを未然に防止できるとともに、割り込みのキャンセル及び復旧を自動的に行うことができ、操作の煩雑さを避けることができる。
【００３８】
請求項２に記載の発明によれば、ポーリング機能時にも前記と同様なサービスを享受できる。
請求項３に記載の発明によれば、請求項１または請求項２に記載の発明の効果に加えて、割り込み音の設定を自在に行うことができる。
【図面の簡単な説明】
【図１】通信端末装置の電気的構成を示すブロック図。
【図２】同じく、割り込みモードの設定を示すフローチャート。
【図３】同じく、送信時の動作を示すフローチャート。
【符号の説明】
１１…割り込み制御手段及び設定手段としてのＣＰＵ、１２…割り込み制御手段としてのＥＰＲＯＭ、１３…ＳＲＡＭ、１４…ＮＣＵ、１５…モデム、１５ａ…ＤＴＭＦ回路、１６…読取部、１７…ＤＲＡＭ、１８…記録部、１９…操作部、１９ａ…設定手段としての設定キー、２０…受話器。
【図１】
0003588910.tif 000002
【図２】
0003588910.tif 000003
【図３】
0003588910.tif 000004